【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄を複数のリールに表示し，前記入賞態様決定手段で決定された入賞態様に応じた図柄組み合わせを有効化入賞ライン上に停止表示する可変表示装置と、
この可変表示装置の可変表示を開始させるスタートレバーと、
前記複数のリールを各リール毎に停止させる複数の停止ボタンと、
液晶画面を変化させて演出表示態様を行う液晶表示部と効果音を出音する音発生手段とを有し、前記入賞態様決定手段で決定された入賞態様に応じた報知情報を報知する報知手段と、
前記報知情報を選択する報知情報選択手段と、
を備えた遊技機において、
前記報知情報選択手段は、前記入賞態様決定手段によって決定された入賞態様およびその時の遊技状態に応じて、前記液晶表示部により行う演出表示態様を、予め定められた複数種類の演出表示態様の中から選択する演出表示態様選択手段と、前記演出表示態様選択手段により選択された演出表示態様に応じて、前記音発生手段が出音する効果音を、予め定められた複数種類の効果音の中から選択する音選択手段とからなり、
前記報知手段は、前記停止ボタンの操作検出時に、前記演出表示態様選択手段で選択された演出表示態様および前記音選択手段で選択された効果音からなる前記報知情報を報知すること
を特徴とする遊技機。
【請求項２】  前記演出表示態様選択手段は、抽出された乱数値によって、予め定められた複数の演出表示態様の中から演出表示態様を選択する演出表示態様選択テーブルを有し、
前記音選択手段は、前記演出表示態様選択テーブルにより選択された演出表示態様に応じて、予め定められた複数種類の効果音の中から効果音を選択する音選択テーブルであること
を特徴とする請求項１に記載の遊技機。
【請求項３】  前記入賞態様決定手段によって決定された入賞態様が特定の入賞態様であって、前記演出表示態様選択手段により前記複数種類の演出表示態様のうち特定の演出表示態様が選択された場合には、前記入賞態様決定手段によって決定された入賞態様が特定の入賞態様であること告知する告知手段を備えたこと
を特徴とする請求項１または請求項２に記載の遊技機。
【請求項４】  前記告知手段は、前記液晶表示部であって、前記液晶表示部により告知を行うこと
を特徴とする請求項３に記載の遊技機。
【請求項５】  前記告知手段は、遊技機前面に設けられたランプであり、前記ランプを点灯させることにより告知を行うこと
を特徴とする請求項３に記載の遊技機。
【請求項６】  前記入賞態様決定手段で決定される入賞態様は、前記演出表示態様及び前記効果音によって、１００％の確率で報知を行う入賞態様と、所定の確率で報知を行う入賞態様とで構成されていること
を特徴とする請求項１または請求項２に記載の遊技機。
【請求項７】  前記演出表示部の演出表示態様は、前記液晶表示部に表示されるキャラクタの表示を変化させることにより行うこと
を特徴とする請求項１または請求項２に記載の遊技機。
【請求項８】  前記液晶表示部の表示態様は、前記液晶表示部に表示される背景画像の表示を変化させることにより行うこと
を特徴とする請求項１または請求項２に記載の遊技機。
【請求項９】  前記音選択手段により選択された効果音は、前記停止ボタンを操作する際に出音されること
を特徴とする請求項１または請求項２に記載の遊技機。
【請求項１０】  前記音発生手段により出音される効果音は、合成音により構成されていること
を特徴とする請求項９に記載の遊技機。
【請求項１１】  前記音発生手段により出音される効果音は、各停止ボタンの操作順に応じて、効果音の長さが異なるように構成されていること
を特徴とする請求項９に記載の遊技機。
【請求項１２】  前記音発生手段により出音される効果音は、各停止ボタンに応じて音階の異なる音により構成されていること
を特徴とする請求項９に記載の遊技機。
【手続補正２】
【補正対象書類名】明細書
【補正対象項目名】００１１
【補正方法】変更
【補正の内容】
【００１１】
【課題を解決するための手段】
本発明は、このような課題を解決することを目的になされたものであって、この目的は、下記（１）〜（１２）の発明によって達成される。
（１）複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄を複数のリールに表示し，前記入賞態様決定手段で決定された入賞態様に応じた図柄組み合わせを有効化入賞ライン上に停止表示する可変表示装置と、
この可変表示装置の可変表示を開始させるスタートレバーと、
前記複数のリールを各リール毎に停止させる複数の停止ボタンと、
液晶画面を変化させて演出表示を行う液晶表示部と効果音を出音する音発生手段とを有し、前記入賞態様決定手段で決定された入賞態様に応じた報知情報を報知する報知手段と、
前記報知情報を選択する報知情報選択手段と、
を備えた遊技機において、
前記報知情報選択手段は、前記入賞態様決定手段によって決定された入賞態様およびその時の遊技状態に応じて、前記液晶表示部により行う演出表示態様を、予め定められた複数種類の演出表示態様の中から選択する演出表示態様選択手段と、前記演出表示態様選択手段により選択された演出表示態様に応じて、前記音発生手段が出音する効果音を、予め定められた複数種類の効果音の中から選択する音選択手段とからなり、
前記報知手段は、前記停止ボタンの操作検出時に、前記演出表示態様選択手段で選択された演出表示態様および前記音選択手段で選択された効果音からなる前記報知情報を報知すること
を特徴とする遊技機。
【手続補正３】
【補正対象書類名】明細書
【補正対象項目名】００１２
【補正方法】変更
【補正の内容】
【００１２】
（２）前記演出表示態様選択手段は、抽出された乱数値によって、予め定められた複数の演出表示態様の中から演出表示態様を選択する演出表示態様選択テーブルを有し、
前記音選択手段は、前記演出表示態様選択テーブルにより選択された演出表示態様に応じて、予め定められた複数種類の効果音の中から効果音を選択する音選択テーブルであること
を特徴とする上記（１）に記載の遊技機。
【手続補正４】
【補正対象書類名】明細書
【補正対象項目名】００１３
【補正方法】変更
【補正の内容】
【００１３】
（３）前記入賞態様決定手段によって決定された入賞態様が特定の入賞態様であって、前記演出表示態様選択手段により前記複数種類の演出表示態様のうち特定の演出表示態様が選択された場合には、前記入賞態様決定手段によって決定された入賞態様が特定の入賞態様であること告知する告知手段を備えたこと
を特徴とする上記（１）または（２）に記載の遊技機。
【手続補正５】
【補正対象書類名】明細書
【補正対象項目名】００１４
【補正方法】変更
【補正の内容】
【００１４】
（４）前記告知手段は、前記液晶表示部であって、前記液晶表示部により告知を行うこと
を特徴とする上記（３）に記載の遊技機。
【手続補正６】
【補正対象書類名】明細書
【補正対象項目名】００１５
【補正方法】変更
【補正の内容】
【００１５】
（５）前記告知手段は、遊技機前面に設けられたランプであり、前記ランプを点灯させることにより告知を行うこと
を特徴とする上記（３）に記載の遊技機。
【手続補正７】
【補正対象書類名】明細書
【補正対象項目名】００１６
【補正方法】変更
【補正の内容】
【００１６】
（６）前記入賞態様決定手段で決定される入賞態様は、前記演出表示態様及び前記効果音によって、１００％の確率で報知を行う入賞態様と、所定の確率で報知を行う入賞態様とで構成されていること
を特徴とする上記（１）または（２）に記載の遊技機。
【手続補正８】
【補正対象書類名】明細書
【補正対象項目名】００１７
【補正方法】変更
【補正の内容】
【００１７】
（７）前記演出表示部の演出表示態様は、前記液晶表示部に表示されるキャラクタの表示を変化させることにより行うこと
を特徴とする上記（１）または（２）に記載の遊技機。
【手続補正９】
【補正対象書類名】明細書
【補正対象項目名】００１８
【補正方法】変更
【補正の内容】
【００１８】
（８）前記液晶表示部の表示態様は、前記液晶表示部に表示される背景画像の表示を変化させることにより行うこと
を特徴とする上記（１）または（２）に記載の遊技機。
【手続補正１０】
【補正対象書類名】明細書
【補正対象項目名】００１９
【補正方法】変更
【補正の内容】
【００１９】
（９）前記音選択手段により選択された効果音は、前記停止ボタンを操作する際に出音されること
を特徴とする上記（１）または（２）に記載の遊技機。
【手続補正１１】
【補正対象書類名】明細書
【補正対象項目名】００２０
【補正方法】変更
【補正の内容】
【００２０】
（１０）前記音発生手段により出音される効果音は、合成音により構成されていること
を特徴とする上記（９）に記載の遊技機。
（１１）前記音発生手段により出音される効果音は、各停止ボタンの操作順に応じて、効果音の長さが異なるように構成されていること
を特徴とする上記（９）に記載の遊技機。
（１２）前記音発生手段により出音される効果音は、各停止ボタンに応じて音階の異なる音により構成されていること
を特徴とする上記（９）に記載の遊技機。